(57)【要約】【課題】本発明はケースのハンドルに関し、握持性，耐久性及び衛生面で優れたケースのハンドルを提供することを目的とする。【解決手段】請求項１に係る発明は、物を収納するケースに止着されるベルト体とこれに取り付く芯材からなるハンドル本体と、長手方向に形成された貫通孔内に上記芯材が圧入される筒状の握持体とで構成されたケースのハンドルであって、上記芯材と握持体に、互いのズレを規制する係合部を設けたことを特徴とする。そして、請求項２に係る発明は、請求項１記載のケースのハンドルに於て、ベルト体は芯材と別体に成形されて、芯材に一体的に止着されていることを特徴とし、請求項３に係る発明は、請求項１記載のケースのハンドルに於て、ベルト体が芯材に一体成形されていることを特徴とする。【選択図】      図３
2004357992.tif 000002
【特許請求の範囲】
【請求項１】
物を収納するケースに止着されるベルト体とこれに取り付く芯材からなるハンドル本体と、長手方向に形成された貫通孔内に上記芯材が圧入される筒状の握持体とで構成されたケースのハンドルであって、
上記芯材と握持体に、互いのズレを規制する係合部を設けたことを特徴とするケースのハンドル。
【請求項２】
ベルト体は芯材と別体に成形されて、芯材に一体的に止着されていることを特徴とする請求項１記載のケースのハンドル。
【請求項３】
ベルト体は、芯材に一体成形されていることを特徴とする請求項１記載のケースのハンドル。
【請求項４】
係合部は、握持体の周壁に形成されて貫通孔に連通する係合孔と、当該係合孔に係合可能に芯材の外周に突設された突部とからなることを特徴とする請求項１乃至請求項３のいずれか１項に記載のケースのハンドル。
【請求項５】
芯材は、上方が凸となる湾曲状に成形されていることを特徴とする請求項１乃至請求項４のいずれか１項に記載のケースのハンドル。
【請求項６】
芯材の下部に、握持時に当該芯材を上方が凸となる湾曲状に変形させる切欠きが設けられていることを特徴とする請求項１乃至請求項４のいずれか１項に記載のケースのハンドル。
【発明の詳細な説明】
【０００１】
【発明の属する技術分野】
本発明は、物を収納して持ち運ぶためのケースのハンドルに関する。
【０００２】
【従来の技術】
従来、物を収納して持ち運ぶためのケースにはハンドルが装着されているが、下記の特許文献１には、釣竿を収納する釣竿ケースのハンドルが開示されている。
図１７乃至図１９は特許文献１に開示された釣竿ケース１のハンドル３を示し、このハンドル３は、柔軟性を有する筒状の布状体（筒状体）５と、当該布状体５に内装された芯材７と、布状体５に外装されたゴム筒９とを備え、図１９に示すように扁平状に押し潰された布状体５の両端部１１が、取付片１３と釣竿ケース１の前壁１ａとの間に挟み込まれて前壁１ａに縫着されている。
【０００３】
布状体５に内装された芯材７は樹脂で成形された円弧状の中空パイプからなり、当該芯材７が内装された部位がハンドル３の把持部１４となる。そして、芯材７は円弧状に成形されているため、把持部１４は門状に保形されて前壁１ａとの間に一定の空間Ａが確保されている。そして、把持部１４に前記ゴム筒９が外装されており、把持部１４は芯材７と布状体５，ゴム筒９とで構成されている。
【０００４】
更に、図１８及び図１９に示すようにゴム筒９の表面側には、手Ｈのひらが当接する箇所に複数のスリット１５が左右方向に沿って所定間隔毎に設けられており、各スリット１５から前記布状体５が露出している。
また、ゴム筒９の上下両端部には、夫々、把持部１４の左右の倒れを防止する左右一対の突張部１７が一体形成されている。そして、各突張部１７の底部と前壁１ａとの間に所定の間隙Ｂが設けられており、この間隙Ｂによって把持部１４が左右に所定量だけ揺動可能となっている。そして、このゴム筒９は、成形時に布状体５と一体構成とされている。
【０００５】
而して、上記ハンドル３によれば、把持部１４が前壁１ａとの間に一定の空間Ａを確保して門状に成形されているため、咄嗟の状況で素早く把持部１４を掴んで持ち運ぶことができる利点を有する。
【特許文献１】
特開２００１−１９０２００号公報（段落番号「０００９」〜「００２２」、図３）
【０００６】
【発明が解決しようとする課題】
しかし乍ら、上記ハンドル３は、布で成形された筒状の布状体５内に芯材７が単に差し込まれた構造であるため、芯材７が布状体５内をその長手方向や周方向にズレ易く、而も、布状体５が布のために柔らかく変形し易いこともあって、釣竿ケース１を持ち運んでいる際に把持部１４が捻れ、違和感を与えてしまう欠点があった。
【０００７】
また、斯様に芯材７がズレる度に芯材７の両端の角部が布状体５に摺接するため、長期に亘る使用で布状体５が摩耗してハンドル３が破損してしまう虞があり、更にまた、ゴム筒９内やスリット１５にコマセ等のゴミが目詰まりしてゴム筒９が汚れてしまったり、入り込んだコマセ等の臭いが布状体５に染み付いてしまう等の不具合も指摘されていた。
【０００８】
本発明は斯かる実情に鑑み案出されたもので、上述の如き従来の不具合を解消し、握持性，耐久性及び衛生面で優れたケースのハンドルを提供することを目的とする。
【０００９】
【課題を解決するための手段】
斯かる目的を達成するため、請求項１に係る発明は、物を収納するケースに止着されるベルト体とこれに取り付く芯材からなるハンドル本体と、長手方向に形成された貫通孔内に上記芯材が圧入される筒状の握持体とで構成されたケースのハンドルであって、上記芯材と握持体に、互いのズレを規制する係合部を設けたことを特徴とする。
【００１０】
そして、請求項２に係る発明は、請求項１記載のケースのハンドルに於て、ベルト体は芯材と別体に成形されて、芯材に一体的に止着されていることを特徴とし、請求項３に係る発明は、請求項１記載のケースのハンドルに於て、ベルト体が芯材に一体成形されていることを特徴とする。
また、請求項４に係る発明は、請求項１乃至請求項３のいずれか１項に記載のケースのハンドルに於て、係合部は、握持体の周壁に形成されて貫通孔に連通する係合孔と、当該係合孔に係合可能に芯材の外周に突設された突部とからなることを特徴とし、請求項５に係る発明は、請求項１乃至請求項４のいずれか１項に記載のケースのハンドルに於て、芯材は上方が凸となる湾曲状に成形されていることを特徴としている。
【００１１】
そして、請求項６に係る発明は、請求項１乃至請求項４のいずれか１項に記載のケースのハンドルに於て、芯材の下部に、握持時に当該芯材を上方が凸となる湾曲状に変形させる切欠きを設けたものである。
【００１２】
（作用）
請求項１乃至請求項３に係る発明によれば、係合部が芯材に取り付く握持体のズレを防止し、また、芯材と握持体からなるハンドルの把持部全体がベルト体に沿ってズレることが防止される。
【００１３】
而も、芯材と別部材で成形された握持体が、手の握り具合に従いその可撓性の範囲で歪んで釣人に良好な握持感を与え、且つベルト体が自在に変形して釣竿ケースが揺れ動くこととなる。
そして、請求項４に係る発明によれば、係合孔に突起が係合して芯材に取り付く握持体のズレを防止し、請求項５に係る発明によれば、上方が湾曲状した芯材に沿ってハンドル形状が保持され、ケースとハンドルとの間に手を差し込むスペースが確保されることとなる。
【００１４】
また、請求項６に係る発明によれば、握持しているハンドルにケースの重さがかかると、芯材が上方に湾曲する。
【００１５】
【発明の実施の形態】
以下、本発明の実施形態を図面に基づいて詳細に説明する。
【００１６】
図１乃至図５は請求項１，請求項２及び請求項４の第一実施形態に係るケースのハンドルを示し、図１に於て、２１は釣竿ケースの前壁（以下、「ケース体」という）で、当該ケース体２１は図１７の前壁１ａと同一部位である。
【００１７】
そして、このケース体２１に、ハンドル２３が釣竿ケースの長手方向（上下方向）に沿って取り付けられており、図３に示すようにハンドル２３は、両端部がケース体２１にリベット２５で止着された帯状のベルト体２７とこれに取り付くグリップ状の芯材２９からなるハンドル本体３１と、長手方向に形成された貫通孔３３内に上記芯材２９が圧入された筒状の握持体３５とで構成されている。
【００１８】
而して、図３及び図４に示すようにハンドル本体３１を構成する芯材２９は、塩化ビニル，ウレタン，エチレン酢酸ビニル等の合成樹脂を用いて断面円形形状のストレートで中実なグリップ状に成形されており、当該芯材２９は握持体３５に比し大きな剛性（曲げ剛性）を有し、握った時に握持体３５の形状が保持され、しっかりした握持感が得られるようになっている。そして、その上方側に、周方向に沿って複数の断面円弧状の突起３７が長手方向に所定間隔を空けて突設されており、図４に示すように各突起３７の先端は、ハンドル２３を握持する手のひらに優しい断面円形形状に成形されている。
【００１９】
また、図３及び図４に示すように芯材２９には、その長手方向に織布または合成樹脂（成形品），布帛，皮革等からなる帯状のベルト体２７が挿通しており、当該ベルト体２７は、芯材２９に比し剛性が小さく柔軟性を有するように薄肉に成形されている。そして、ベルト体２７は、芯材２９の成形時にこれと一体に固着されている。尚、ベルト体２７は帯状に限らず、断面が四角形状や円形状としてもよい。
【００２０】
即ち、芯材２９は金型内に成形材料を流し込んで成形されるが、この成形時に、金型内にベルト体２７の中央側を配置することで、ベルト体２７の中央側が芯材２９内に埋設されてこれらが一体的に結合し、芯材２９はベルト体２７に対し、位置がズレないように固着するようになっている。特に、ベルト体２７が織布であると、芯材２９は織布の目や繊維間に入り込んで結合するため、位置ズレを容易に防止できる。
【００２１】
そして、芯材２９の両端から突出するベルト体２７の端部が、夫々、ケース体２１に直接リベット２５で止着されている。
尚、図示しないが、図１９で既述した取付片１３の如き部材を用いたり、また、接着，溶着，縫着等で直接止着したり、或いはまた、中間部材をケース体２１とベルト体２７との間に介装して、ベルト体２７の端部をケース体２１に間接的に止着してもよい。
【００２２】
一方、第一実施形態では、握持体３５は、芯材２９と同一材料，同一の長さ寸法を以って可撓性を有する断面円形形状の筒状に成形されており、その中央に設けられた断面円形形状の貫通孔３３は前記芯材２９よりも小径に設定されている。また、その上部周壁には、貫通孔３３に連通する複数の係合孔３９が前記突起３７に対応して長手方向に間隔を空けて設けられており、図５に示すようにベルト体２７の一方を貫通孔３３内に挿入して、握持体３５の可撓性を利用して貫通孔３３を押し広げ乍ら芯材２９を貫通孔３３内に圧入すると、図１，図２及び図４の如く突起３７が各係合孔３９に係合して芯材２９と握持体３５とのズレ防止が図られ、且つ貫通孔３３や係合孔３９へのゴミの侵入が防止されるようになっている。
【００２３】
而も、突起３７が係合孔３９を介して握持体３５の上方に突出することで、確実に前記ズレが防止され、また、係合孔３９へのコマセ等のゴミの侵入が確実に防止される。
そして、既述したように握持体３５は芯材２９と同一の長さ寸法を以って成形されているため、斯様に握持体３５に芯材２９を圧入して各係合孔３９に突起３７が係合すると、握持体３５の両端の開口部から芯材２９が外部に露出するようになっている。
【００２４】
尚、握持体３５は芯材２９と長さが異なっていてもよく、例えば芯材２９より短く形成してもよい。
本実施形態に係るハンドル２３はこのように構成されており、当該ハンドル２３を釣竿ケースのハンドルとして用いる場合、予め図５の如くベルト体２７の一方を握持体３５の貫通孔３３内に挿入して、貫通孔３３を押し広げ乍ら芯材２９を貫通孔３３内に圧入して各係合孔３９に突起３７を係合させた後、ベルト体２７の両端部をケース体２１にリベット２５で止着すればよい。
【００２５】
そして、釣竿を収納した釣竿ケースを持ち運ぶ際にハンドル２３を握持すると、芯材２９は握持体３５の貫通孔３９に圧入されているため、貫通孔３９の内側との摩擦によって握持体３５に対し動き難くズレが防止され、更に、係合孔３９と突起３７との係合で握持体３５が芯材２９に位置決めされて、芯材２９の長手方向及び周方向への握持体３５のズレが防止されるが、本実施形態では、各係合孔３９に係合した突起３７が握持体３５の上方に突出して握持体３５のズレが確実に規制されることとなる。
【００２６】
而も、ベルト体２７は芯材２９と一体構造であるから、芯材２９と握持体３５からなるハンドル２３の把持部全体がベルト体２７に沿ってズレることもない。
また、握持体３５は、芯材２９と同一材料を以って可撓性を有する筒状に成形されてその貫通孔３３に芯材２９が圧入された構造上、握持体３５は曲げ剛性の大きな芯材２９によってその形状が保持され乍らも、芯材２９と別体であるため、その可撓性の範囲で手の握り具合に従い歪んで手が痛まず、良好な握持感を与えることとなる。
【００２７】
更にまた、既述したようにベルト体２７は芯材２９に比し剛性が小さく、柔軟性を有するように薄肉に成形されているため、ハンドル２３を握持して釣竿ケースを持ち運んでいる際に、ベルト体２７が自在に変形して釣竿ケースが揺れ動くこととなり、釣竿ケースの振動が緩和されて手に伝わるため疲れない。
そして、係合孔３９に突起３７が合致して収まるように係合しているため、係合孔３９に隙間がなくなってゴミ等が目詰まりすることが防止され、また、例えば芯材２９を握持体３５と異なる色に着色しておけば、握持体３５と異なる色の突起３７が握持体３５の上部に突出するため、意匠上、色のコントラストによって美観に優れたものとなる。
【００２８】
このように本実施形態に係るハンドル２３によれば、芯材２９に取り付く握持体３５がズレたり、芯材２９と握持体３５からなるハンドル２３の把持部全体がベルト体２７に沿ってズレることもないため、釣人に違和感や不快感（持ち難いといった印象）を与えることがなく、而も、芯材２９と別部材で成形された握持体３５が、手の握り具合に従いその可撓性の範囲で歪んで釣人に良好な握持感を与え、且つベルト体２７が自在に変形して釣竿ケースが揺れ動くため、釣竿ケースの振動が緩和されて手に伝わり、ハンドル２３を良好に握持することが可能となって疲れることがない利点を有する。
【００２９】
また、上述したように係合孔３９と突起３７との係合によって芯材２９に取り付く握持体３５がズレることが防止されるため、握持体３５のズレに起因する芯材２９との摩耗による損傷の虞もないし、係合孔３９にコマセが目詰まりすることがないため衛生面も優れ、更にまた、既述したように芯材２９を握持体３５と異なる色に着色しておけば、握持体３５と突起３７との異なる色のコントラストによって、意匠上の美観に優れたものとなる利点を有する。
【００３０】
図６及び図７は請求項１，請求項３及び請求項４の一実施形態に係るハンドルを示し、本実施形態は、ハンドル本体を構成する芯材とベルト体を一体成形したもので、以下、本実施形態を図面に基づいて説明するが、上記実施形態と同一のものには同一符号を付してそれらの説明は省略する。
図６に於て、４１は前記芯材２９と同一材料を用いて握持体３５と同一の長さ寸法，同一の径寸法に成形された断面円形形状のストレートで中実なグリップ状の芯材で、その上方側に、握持体３５の係合孔３９に係合可能な突起４３が前記突起３７と同一形状に所定間隔を空けて突設されている。
【００３１】
そして、図６及び図７に示すように芯材４１の両端部には、ケース体２１との止着部である扁平な端部を除いて断面円形形状のベルト体４５が芯材４１と一体成形されており、当該ベルト体４５はその端部側から芯材４１に向かって順次肉太に成形されている。また、ベルト体４５は芯材４１に比し小径であるため、当該芯材４１よりも剛性が小さく、ハンドル４７を握持して釣竿ケースを持ち運んでいる際に、ベルト体４５が変形して釣竿ケースが揺れ動くようになっている。
【００３２】
本実施形態に係るハンドル４７のハンドル本体４９はこのように構成されており、ベルト体４５の一方を握持体３５の貫通孔３３内に挿入して、貫通孔３３を押し広げ乍ら芯材４１を貫通孔３３内に圧入して突起４３を係合孔３９に係合させた後、ベルト体４５の両端部をケース体２１にリベット２５で止着することで、ハンドル４７がケース体２１に取り付く。
【００３３】
そして、釣竿を収納した釣竿ケースを持ち運ぶ際にハンドル２３を握持すると、上記実施形態と同様、係合孔３９と突起４３との係合で握持体３５が芯材４１に位置決めされて、芯材４１の長手方向及び周方向への握持体３５のズレが規制されることとなる。
また、握持体３５は曲げ剛性の大きな芯材４１によっとその形状が保持され乍らも、手の握り具合の加減で歪んで釣人に良好な握持感を与えることとなる。
【００３４】
更にまた、既述したようにベルト体４５は芯材４１に比し剛性が小さく成形されているため、ハンドル４７を握持して釣竿ケースを持ち運んでいる際に、ベルト体４５が変形して釣竿ケースが揺れ動くこととなる。
そして、係合孔３９に突起４３が係合しているため、係合孔３９にコマセが目詰まりすることがなく、また、本実施形態にあっても、芯材４１を握持体３５と異なる色に着色しておけば、握持体３５と異なる色の突起４３が握持体３５の上方に突出し、且つ握持体３５の両端部から握持体３５と異なる色のベルト体４５が露出するため、意匠上、色のコントラストによって美観に優れたものとなる。
【００３５】
このように本実施形態に係るハンドル４７によっても、係合孔３９と突起４３との係合によって芯材４１に取り付く握持体３５がズレることがないため、釣人に違和感や不快感を与えることがなく、而も、芯材４１と別部材で成形された握持体３５が手の握り具合に従って歪んで釣人に良好な握持感を与え、且つベルト体４５が変形して釣竿ケースが揺れ動くため、ハンドル４７を良好に握持することが可能となって疲れることがなくなる。
【００３６】
また、芯材４１に取り付く握持体３５がズレることがないため、握持体３５のズレに起因する芯材４１との摩耗による損傷の虞もないし、係合孔３９にコマセが目詰まりすることがないため、衛生面にも優れ、更にまた、既述したように芯材４１を握持体３５と異なる色に着色しておけば、握持体３５と突起４３，ベルト体４５との異なる色のコントラストによって、意匠上、美観に優れたものとなる利点を有する。
【００３７】
図８及び図９は請求項１，請求項２，請求項４及び請求項５の一実施形態に係るハンドルを示し、図示するように本実施形態に係るハンドル２３−１は、ベルト体２７が挿通してハンドル本体３１−１を構成する芯材２９−１を上方が凸となる湾曲状に成形したもので、芯材２９−１は、前記芯材２９と同一材料を用いて断面円形形状の中実なグリップ状に成形されており、その上方側に、握持体３５の係合孔３９に係合可能な突起３７が一体成形されている。
【００３８】
尚、その他の構成は図１の実施形態と同様であるので、同一のものには同一符号を付してそれらの説明は省略する。
そして、図９に示すようにベルト体４５の一方を握持体３５の貫通孔３３内に挿入して、貫通孔３３を押し広げ乍ら芯材２９−１を貫通孔３３内に圧入して突起３７を係合孔３９に係合させると、図８の如く握持体３５が芯材２９−１の形状に沿って湾曲し、ハンドル２３−１をケース体２１に止着すると、ケース体２１とハンドル２３−１との間に手を差し込むスペースが確保されてハンドル形状が保持されるようになっている。
【００３９】
本実施形態に係るハンドル２３−１はこのように構成されており、本実施形態によっても、図１のハンドル２３と同様、所期の目的を達成することができることは勿論、上方が湾曲状した芯材２９−１に沿ってハンドル形状が保持されるため、ケース体２１とハンドル２３−１との間に手を差し込むスペースが確保されることとなって、咄嗟の状況下でハンドル２３−１を掴みやすい利点を有する。
【００４０】
図１０及び図１１は請求項１，請求項２，請求項４及び請求項６の一実施形態に係るハンドルを示し、図１１に示すように本実施形態は、ベルト体２７が挿通してハンドル本体３１−２を構成する芯材２９−２を、前記芯材２９と同一材料を用いてこれと同一形状，同一寸法に成形したうえで、芯材２９−２の下方側に、当該芯材２９−２の軸心と直交する方向へ複数の逆Ｖ字状の切欠き５１を直線状に設けて、図１０の如く握持したハンドル２３−２に釣竿ケースの重さ（負荷）が作用した際に、芯材２９−２が上方に湾曲するように構成したもので、斯様に湾曲する芯材２９−２に沿って握持体３５も湾曲する。
【００４１】
而して、本実施形態によっても、図１の実施形態と同様、所期の目的を達成することが可能であり、また、既述したように握持しているハンドル２３−２に釣竿ケースの重さがかかると、図１０の如く芯材２９−２が握持体３５と共に上方が凸となるように湾曲するため、更に良好な握持感を得ることが可能である。特に、釣竿ケースの荷重が大きくなるほど湾曲が大きくなって、手に急激な荷重がかかることを防止する。
【００４２】
図１２乃至図１４は請求項１，請求項２及び請求項４の第二実施形態に係るハンドルを示し、本実施形態に係るハンドル２３−３も、既述した各実施形態と同様、前記芯材２９と同一材料を用いて成形された中実な芯材２９−３とこれに挿通するベルト体２７からなるハンドル本体３１−３と、当該芯材２９の外周に取り付く握持体３５−１とで構成されている。
【００４３】
そして、図１３及び図１４に示すように本実施形態は、握持体３５−１を断面円形形状の筒状に成形すると共に、当該握持体３５−１の貫通孔３３−１とこれに圧入される芯材２９−３とを、夫々、非円形形状（断面四角形形状）に成形して、芯材２９−３に対する握持体３５−１の周方向へのズレ（回動）をより確実に図ったもので、芯材２９−３の上方側には、握持体３５−１の周壁に設けた係合孔３９−１に係合する複数の突起３７−１が一体的に突設されている。
【００４４】
尚、本実施形態に於ても、その他の構成は図１の実施形態と同様であるため、同一のものには同一符号を付してそれらの説明は省略する。
而して、本実施形態にあっても、既述した各実施形態と同様、所期の目的を達成することが可能であり、また、本実施形態によれば、芯材２９−３に対する握持体３５−１の周方向のズレをより確実に防止することができる利点を有する。
【００４５】
図１５及び図１６は請求項１及び請求項２の一実施形態に係るハンドルを示し、本実施形態に係るハンドル２３−４は、図１の実施形態で既述した係合孔３９に代えて、握持体３５−２の上部内周に凹状の係合孔５３を複数設けると共に、当該係合孔５３に係合可能な突起５５を、既述した突起３７に代えて芯材２９−４の上方側に複数突設したもので、芯材２９−４にベルト体２７が挿通してハンドル本体３１−４が構成されている。
【００４６】
そして、本実施形態に於ても、芯材２９−４や握持体３５−２，ベルト体２７の成形材料は図１の実施形態と同様であり、図１６に示す握持体３５−２への芯材２９−４の取付方法も図１の実施形態と同様であるため、それらの説明は省略する。
而して、本実施形態によっても、既述した各実施形態と同様、所期の目的を達成することが可能で、握持性，耐久性及び衛生面で優れたケースのハンドル２３−４を提供することが可能である。
【００４７】
尚、上記各実施形態は、本発明のハンドルを釣竿ケースに適用したものであるが、かばんやバッグ等を含む物を収納して持ち運ぶためのケースのハンドルとして、様々なケースに適用することができる。
【００４８】
【発明の効果】
以上述べたように、各請求項に係る発明によれば、芯材に取り付く握持体がズレたり、芯材と握持体からなるハンドルの把持部全体がベルト体に沿ってズレることが防止されるため、釣人に違和感や不快感を与えることがなく、而も、芯材と別部材で成形された握持体が、手の握り具合に従いその可撓性の範囲で歪んで良好な握持感を与え、且つベルト体が自在に変形してケースが揺れ動くため、ハンドルを良好に握持することが可能となって疲れることがない利点を有する。
【００４９】
また、芯材に取り付く握持体がズレることがないため、握持体のズレに起因する芯材との摩耗による損傷の虞もない。
そして、請求項４に係る発明によれば、係合孔にゴミ等が目詰まりすることがないため衛生面も優れ、更にまた、芯材を握持体と異なる色に着色しておけば、握持体と突起との異なる色のコントラストによって、意匠上の美観に優れたものとなる利点を有する。
【００５０】
また、請求項５に係る発明によれば、上方が湾曲状した芯材に沿ってハンドル形状が保持されるため、ケースとハンドルとの間に手を差し込むスペースが確保されることとなって、咄嗟の状況下でハンドルを掴みやすい利点を有する。
更にまた、請求項６に係る発明によれば、握持しているハンドルにケースの重さがかかると芯材が上方に湾曲するため、更に良好な握持感を得ることが可能となる。
【図面の簡単な説明】
【図１】請求項１，請求項２及び請求項４の第一実施形態に係るハンドルの側面図である。
【図２】図１に示すハンドルの正面図である。
【図３】図１のＩＩＩ−ＩＩＩ線断面図である。
【図４】図１に示すハンドルの断面図である。
【図５】図１に示すハンドルの組付け方法を示す断面図である。
【図６】請求項１，請求項３及び請求項４の一実施形態に係るハンドルの断面図である。
【図７】図６のＶＩＩ−ＶＩＩ線断面図である。
【図８】請求項１，請求項２，請求項４及び請求項５の一実施形態に係るハンドルの断面図である。
【図９】図８に示すハンドルの組付け方法を示す断面図である。
【図１０】請求項１，請求項２，請求項４及び請求項６の一実施形態に係るハンドルの断面図である。
【図１１】図１０に示すハンドルの組付け方法を示す断面図である。
【図１２】請求項１，請求項２及び請求項４の第二実施形態に係るハンドルの側面図である。
【図１３】図１２のＸＩＩＩ−ＸＩＩＩ線断面図である。
【図１４】図１２のＸＩＶ−ＸＩＶ線断面図である。
【図１５】請求項１及び請求項２の一実施形態に係るハンドルの断面図である。
【図１６】図１５に示すハンドルの組付け方法を示す断面図である。
【図１７】従来のハンドルが取り付く釣竿ケースの全体斜視図である。
【図１８】ハンドルの正面図である。
【図１９】図１８に示すハンドルの断面図である。
【符号の説明】
２１  ケース体
２３，２３−１，２３−２，２３−３，２３−４，４７  ハンドル
２７，４５  ベルト体
２９，２９−１，２９−２，２９−３，２９−４，４１  芯材
３１，３１−１，，３１−２，，３１−３，３１−４，４９  ハンドル本体
３３  貫通孔
３５，３５−１，３５−２  握持体
３７，３７−１，４３，５５  突起
３９，３９−１，５３  係合孔
【図１】
2004357992.tif 000003
【図２】
2004357992.tif 000004
【図３】
2004357992.tif 000005
【図４】
2004357992.tif 000006
【図５】
2004357992.tif 000007
【図６】
2004357992.tif 000008
【図７】
2004357992.tif 000009
【図８】
2004357992.tif 000010
【図９】
2004357992.tif 000011
【図１０】
2004357992.tif 000012
【図１１】
2004357992.tif 000013
【図１２】
2004357992.tif 000014
【図１３】
2004357992.tif 000015
【図１４】
2004357992.tif 000016
【図１５】
2004357992.tif 000017
【図１６】
2004357992.tif 000018
【図１７】
2004357992.tif 000019
【図１８】
2004357992.tif 000020
【図１９】
2004357992.tif 000021
【手続補正書】
【提出日】平成15年6月16日(2003.6.16)
【手続補正１】
【補正対象書類名】明細書
【補正対象項目名】００１３
【補正方法】変更
【補正の内容】
【００１３】
而も、芯材と別部材で成形された握持体が、手の握り具合に従いその可撓性の範囲で歪んで人に良好な握持感を与え、且つベルト体が自在に変形して釣竿ケースが揺れ動くこととなる。
そして、請求項４に係る発明によれば、係合孔に突起が係合して芯材に取り付く握持体のズレを防止し、請求項５に係る発明によれば、上方が湾曲状した芯材に沿ってハンドル形状が保持され、ケースとハンドルとの間に手を差し込むスペースが確保されることとなる。


【手続補正２】
【補正対象書類名】明細書
【補正対象項目名】００４８
【補正方法】変更
【補正の内容】
【００４８】
【発明の効果】
以上述べたように、各請求項に係る発明によれば、芯材に取り付く握持体がズレたり、芯材と握持体からなるハンドルの把持部全体がベルト体に沿ってズレることが防止されるため、人に違和感や不快感を与えることがなく、而も、芯材と別部材で成形された握持体が、手の握り具合に従いその可撓性の範囲で歪んで良好な握持感を与え、且つベルト体が自在に変形してケースが揺れ動くため、ハンドルを良好に握持することが可能となって疲れることがない利点を有する。